(57)【要約】【課題】機能回復等のメンテナンスに要する労力を軽減することができる産卵礁及び魚礁を提供する。【解決手段】水中に設置され海洋生物の産卵場所を提供する産卵礁であって、沈水可能な基礎構造体２と、基礎構造体２に配置されるとともに産卵面Ｓを構成する陰極３と、陰極３と対峙する位置に配置された陽極４と、を有し、陰極３及び陽極４の間で通電させることにより陰極３の表面に電着被膜Ｅを形成し、増殖対象である海洋生物の産卵時期の直前に電着被膜Ｅを剥離して付着物Ｋを除去した後、電着被膜Ｅを再形成し、電着被膜Ｅの表面を産卵場所として提供する。【選択図】図１
2014168422.tif 000002
【特許請求の範囲】
【請求項１】
水中に設置され海洋生物の産卵場所を提供する産卵礁において、
沈水可能な基礎構造体と、
該基礎構造体に配置されるとともに産卵面を構成する陰極と、
該陰極と対峙する位置に配置された陽極と、を有し、
前記陰極及び前記陽極の間で通電させることにより前記陰極の表面に電着被膜を形成し、増殖対象である海洋生物の産卵時期の直前に前記電着被膜を剥離して付着物を除去した後、前記電着被膜を再形成し、該電着被膜の表面を前記産卵場所として提供するようにした、ことを特徴とする産卵礁。
【請求項２】
絶縁板の一面に前記陰極を配置するとともに該絶縁板の他面に前記陽極を配置した複数の電極板を有し、一の電極板の陰極と他の電極板の陽極とが対峙するように離隔して配置することによって前記産卵面を形成するようにした、ことを特徴とする請求項１に記載の産卵礁。
【請求項３】
前記陰極及び前記陽極は、同じ素材により構成されている、ことを特徴とする請求項１又は請求項２に記載の産卵礁。
【請求項４】
前記陰極及び前記陽極は、前記基礎構造体に立設可能な支柱に配置されている、前記基礎構造体に直に接続されている、前記基礎構造体とともに沈水可能な組立治具に配置されている、又は、ブロック化されて前記基礎構造体に接続可能な索体に接続されている、ことを特徴とする請求項１〜請求項３のいずれか一項に記載の産卵礁。
【請求項５】
水中に設置され海洋生物の住処を提供する人工魚礁において、
請求項１〜請求項４のいずれか一項に記載の産卵礁を備え、前記基礎構造体を構成するコンクリート構造体である、ことを特徴とする人工魚礁。
【請求項６】
前記産卵礁を配置した産卵部と、前記産卵礁を配置しない住処部と、を有し、少なくとも前記陽極に鉄イオンを発生可能な素材を使用した、ことを特徴とする請求項５に記載の人工魚礁。
【請求項７】
産卵礁を水中に設置することにより海洋生物に産卵場所を提供する海洋生物の産卵場所提供方法において、
前記産卵礁を水中に設置した後、前記産卵礁の一部に電着被膜を形成し、増殖対象である海洋生物の産卵時期の直前に前記電着被膜を剥離して付着物を除去した後、前記電着被膜を再形成し、該電着被膜の表面を前記産卵場所として提供するようにした、ことを特徴とする海洋生物の産卵場所提供方法。
【発明の詳細な説明】
【技術分野】
【０００１】
本発明は、産卵礁、人工魚礁及び海洋生物の産卵場所提供方法に関し、特に、海洋生物の産卵場所の提供に適した産卵礁、人工魚礁及び海洋生物の産卵場所提供方法に関する。
【背景技術】
【０００２】
例えば、水深１００ｍ程度までの漁場で採取可能な、魚類、海草類、カキやアワビ等の貝類、エビやカニ等の甲殻類、イカやタコ等の軟体動物等の海洋生物は、それ自体が貴重な食料源であるとともに、他の海洋生物に捕食されることによって海洋生態系の一部を担っている。
【０００３】
したがって、これらの海洋生物を増殖させることは有意義であり、種々の産卵礁や人工魚礁が既に提案されている（例えば、特許文献１及び特許文献２参照）。特許文献１には、支柱を立体状に配して構成される構造躯体の内部に被産卵パネルを配した被産卵ユニットを基台上に配置したヤリイカ産卵礁が開示されている。また、特許文献２には、上下方向に貫通する通水孔が中心部に形成された板状の基盤、この基盤の下面にあって前記通水孔と海底との間に間隔を保持する複数の支脚、前記基盤の上面側で通水孔の周囲に立設される複数の柱体、及びこれら柱体に取り付けられる海藻種苗を備える藻場礁が開示されている。
【先行技術文献】
【特許文献】
【０００４】
【特許文献１】特開２００４−２３６６２８号公報
【特許文献２】特開２００９−７２１６４号公報
【発明の概要】
【発明が解決しようとする課題】
【０００５】
ところで、海洋生物の中には、ユウレイボヤやシロガヤ等が付着したような汚れた面を避け、石灰藻やフジツボが付着している程度の比較的汚れの少ない面を好んで産卵する種類も存在している（例えば、ヤリイカ等）。
【０００６】
しかしながら、特許文献１や特許文献２に記載されたような産卵礁では、水中に沈めた当初は貝類が付着していないきれいな産卵面を有しているものの、時間の経過とともに貝類や藻類が付着し産卵面は汚れていく。したがって、産卵時期に合わせて産卵礁を入れ替えたり、産卵時期の直前に産卵礁を引き上げて付着物を除去したりしなければならず、産卵礁のメンテナンスに多大な労力を要する。
【０００７】
本発明は、上述した問題点に鑑み創案されたものであり、機能回復等のメンテナンスに要する労力を軽減することができる産卵礁、人工魚礁及び海洋生物の産卵場所提供方法を提供することを目的とする。
【課題を解決するための手段】
【０００８】
本発明によれば、水中に設置され海洋生物の産卵場所を提供する産卵礁において、沈水可能な基礎構造体と、該基礎構造体に配置されるとともに産卵面を構成する陰極と、該陰極と対峙する位置に配置された陽極と、を有し、前記陰極及び前記陽極の間で通電させることにより前記陰極の表面に電着被膜を形成し、増殖対象である海洋生物の産卵時期の直前に前記電着被膜を剥離して付着物を除去した後、前記電着被膜を再形成し、該電着被膜の表面を前記産卵場所として提供するようにした、ことを特徴とする産卵礁が提供される。
【０００９】
また、本発明によれば、水中に設置され海洋生物の住処を提供する人工魚礁において、水中に設置され海洋生物の産卵場所を提供する産卵礁であって、沈水可能な基礎構造体と、該基礎構造体に配置されるとともに産卵面を構成する陰極と、該陰極と対峙する位置に配置された陽極と、を有し、前記陰極及び前記陽極の間で通電させることにより前記陰極の表面に電着被膜を形成し、増殖対象である海洋生物の産卵時期の直前に前記電着被膜を剥離して付着物を除去した後、前記電着被膜を再形成し、該電着被膜の表面を前記産卵場所として提供するようにした産卵礁を備え、前記基礎構造体を構成するコンクリート構造体である、ことを特徴とする人工魚礁が提供される。
【００１０】
前記産卵礁及び前記人工魚礁において、絶縁板の一面に前記陰極を配置するとともに該絶縁板の他面に前記陽極を配置した複数の電極板を有し、一の電極板の陰極と他の電極板の陽極とが対峙するように離隔して配置することによって前記産卵面を形成するようにしてもよい。
【００１１】
また、前記陰極及び前記陽極は、同じ素材により構成されていてもよい。
【００１２】
また、前記陰極及び前記陽極は、前記基礎構造体に立設可能な支柱に配置されていてもよいし、前記基礎構造体に直に接続されていてもよいし、前記基礎構造体とともに沈水可能な組立治具に配置されていてもよいし、ブロック化されて前記基礎構造体に接続可能な索体に接続されていてもよい。
【００１３】
また、前記人工魚礁において、前記産卵礁を配置した産卵部と、前記産卵礁を配置しない住処部と、を有し、少なくとも前記陽極に鉄イオンを発生可能な素材を使用するようにしてもよい。
【００１４】
また、本発明によれば、産卵礁を水中に設置することにより海洋生物に産卵場所を提供する海洋生物の産卵場所提供方法において、前記産卵礁を水中に設置した後、前記産卵礁の一部に電着被膜を形成し、増殖対象である海洋生物の産卵時期の直前に前記電着被膜を剥離して付着物を除去した後、前記電着被膜を再形成し、該電着被膜の表面を前記産卵場所として提供するようにした、ことを特徴とする海洋生物の産卵場所提供方法が提供される。
【発明の効果】
【００１５】
上述した本発明に係る産卵礁、人工魚礁及び海洋生物の産卵場所提供方法によれば、電着被膜を形成可能な陰極及び陽極を配置したことにより、産卵礁を沈水させた後、産卵面に電着被膜を形成することができ、かかる電着被膜に貝類や藻類等の海洋生物を付着させることができる。したがって、増殖対象である海洋生物の産卵時期の直前に前記電着被膜を剥離することにより、産卵面の付着物を容易に除去することができ、機能回復等のメンテナンスに要する労力を軽減することができる。
【００１６】
特に、陰極及び陽極を極性反転させることによって、電着被膜を容易に剥離することができ、電着被膜に付着した付着物を容易に除去することができる。また、産卵礁の陽極に鉄イオンを発生可能な素材を使用することにより、植物プランクトンの発生を促し、それに伴って藻類を繁殖させたり、集魚したりすることができる。
【図面の簡単な説明】
【００１７】
【図１】本発明の第一実施形態に係る産卵礁及び人工魚礁を示す図であり、（ａ）は産卵礁、（ｂ）は人工魚礁、を示している。
【図２】図１（ａ）に示した産卵礁の詳細説明図である。
【図３】図２に示した産卵礁の変形例を示す図であり、（ａ）は第一変形例、（ｂ）は第二変形例、を示している。
【図４】本発明に係る海洋生物の産卵場所提供方法を示すフロー図である。
【図５】電着被膜の処理過程を示す説明図であり、（ａ）は電着被膜形成工程、（ｂ）は電着被膜完成状態、（ｃ）は付着物付着状態、（ｄ）は電着被膜剥離工程、（ｅ）は電着被膜再形成工程、（ｆ）は産卵工程、を示している。
【図６】本発明の他の実施形態に係る産卵礁を示す図であり、（ａ）は第二実施形態、（ｂ）は第三実施形態、を示している。
【図７】本発明の第四実施形態に係る産卵礁を示す図であり、（ａ）は斜視図、（ｂ）は組付状態、を示している。
【図８】本発明の他の実施形態に係る産卵礁を示す図であり、（ａ）は第五実施形態、（ｂ）は第六実施形態、（ｃ）は第七実施形態、（ｄ）は第八実施形態、を示している。
【発明を実施するための形態】
【００１８】
以下、本発明に係る産卵礁、人工魚礁及び海洋生物の産卵場所提供方法の実施形態について、図１〜図８を用いて説明する。ここで、図１は、本発明の第一実施形態に係る産卵礁及び人工魚礁を示す図であり、（ａ）は産卵礁、（ｂ）は人工魚礁、を示している。図２は、図１（ａ）に示した産卵礁の詳細説明図である。
【００１９】
本発明の第一実施形態に係る産卵礁１は、図１（ａ）及び図２に示したように、水中に設置され海洋生物の産卵場所を提供する産卵礁であって、沈水可能な基礎構造体２と、基礎構造体２に配置されるとともに産卵面Ｓを構成する陰極３と、陰極３と対峙する位置に配置された陽極４と、を有し、陰極３及び陽極４の間で通電させることにより陰極３の表面に電着被膜Ｅを形成し、増殖対象である海洋生物の産卵時期の直前に電着被膜Ｅを剥離して付着物Ｋを除去した後、電着被膜Ｅを再形成し、電着被膜Ｅの表面を産卵場所として提供するようにしたものである。
【００２０】
また、本発明の第一実施形態に係る人工魚礁９は、水中に設置され海洋生物の住処を提供する人工魚礁であって、上述した産卵礁１を備え、基礎構造体２を構成するコンクリート構造体である。すなわち、人工魚礁９は、沈水可能なコンクリート構造体であって、産卵礁１が配置される基礎構造体２を構成している。
【００２１】
人工魚礁９は、例えば、全体外形が三角柱、四角柱、三角錐、四角錐等の立体的形状を有しており、コンクリート製の支柱（フレーム）や壁面（パネル）によって構成される。図示した人工魚礁９は、コンクリート製の支柱（フレーム）を略トラス状に配置して、全体外形が三角柱形状を有するコンクリート構造体によって形成されている。また、人工魚礁９は、産卵礁１を配置した産卵部９１と、産卵礁１を配置しない住処部９２と、を有しており、増殖用と集魚用とに機能分担されている。例えば、図示したように、人工魚礁９の一階部分を産卵場である産卵部９１とし、二階部分を集魚場である住処部９２とすることができる。
【００２２】
図１（ａ）及び図２に示したように、本実施形態に係る産卵礁１では、絶縁板５の一面に陰極３を配置するとともに絶縁板５の他面に陽極４を配置した複数の電極板６を有し、一の電極板６の陰極３と他の電極板６の陽極４とが対峙するように離隔して配置することによって多段の産卵面Ｓを形成するようにしている。産卵面Ｓの段数は、図示した個数に限定されるものではなく、必要に応じて任意に設定することができる。なお、最上部に配置される電極板６は、図示したように、陰極３を省略してもよいし、最下部に配置される電極板６は、図示したように、陽極４を省略してもよい。
【００２３】
絶縁板５は、例えば、矩形形状を有する平板のプラスチック材や硬質ゴム材により構成されており、その下面に平板状の陰極３が配置され、上面に平板状の陽極４が配置されている。陰極３は、例えば、ＳＵＳ（ステンレス鋼）、炭素鋼等の金属材により構成され、絶縁板５と同様の矩形形状の平板に形成される。陽極４は、例えば、マグネシウム、アルミニウム、亜鉛、炭素鋼、チタン、ＳＵＳ、銀鉛等を主成分又は含有する金属材により構成され、絶縁板５と同様の矩形形状の平板に形成される。なお、最上部に配置される電極板６又は絶縁板５は、下部に配置される他の電極板６よりも大きく形成し、遮光板として利用するようにしてもよい。
【００２４】
図２に示したように、複数の電極板６は、基礎構造体２に立設可能な支柱７に適当な間隔で平行に支持されている。このとき隣接する電極板６は、陰極３と陽極４とが対峙するように配置される。支柱７の本数は、電極板６の大きさや重量等の条件によって適宜変更されるものであるが、安定性を考慮すれば少なくとも三本以上であることが好ましい。
【００２５】
また、支柱７は、陰極３に通電する少なくとも一本の第一支柱７１と、陽極４に通電する少なくとも一本の第二支柱７２と、を有している。第一支柱７１及び第二支柱７２は、導電性を有する金属材により構成されている。なお、陰極３及び陽極４に通電しない残りの支柱７は、プラスチック等の非導電性部材により構成されていてもよいし、必要な箇所に絶縁処理を施した金属材により構成されていてもよい。
【００２６】
第一支柱７１は、陰極３とは通常のボルト７１ａにより接続され、陽極４とは絶縁ボルト７１ｂにより接続される。かかる構成により、電極板６の貫通部において第一支柱７１と陽極４とがショートしないように構成されている。第二支柱７２は、陽極４とは通常のボルト７２ａにより接続され、陰極３とは絶縁ボルト７２ｂにより接続される。かかる構成により、電極板６の貫通部において第二支柱７２と陰極３とがショートしないように構成されている。なお、ボルト７１ａ，７２ａ及び絶縁ボルト７１ｂ，７２ｂは、電気分解しないようなチタン等の素材により構成することが好ましい。
【００２７】
複数の電極板６（陰極３及び陽極４）を支柱７に配置することにより、複数の産卵面Ｓを有する産卵礁１をユニット化することができ、支柱７を基礎構造体２に接続することにより、産卵礁１を基礎構造体２に配置することができる。すなわち、陰極３及び陽極４は、基礎構造体２に立設可能な支柱７（第一支柱７１及び第二支柱７２を含む）に配置されていることとなる。また、このように、産卵礁１を電極板６及び支柱７により構成することによって、各部品をばらした状態で搬送し、現地で容易に組み立てることができ、搬送効率及び作業効率の向上を図ることができる。
【００２８】
また、図２に示したように、第一支柱７１には、陰極用ケーブル７１ｃが接続されており、第二支柱７２には、陽極用ケーブル７２ｃが接続されている。陰極用ケーブル７１ｃ及び陽極用ケーブル７２ｃは、非通電時には、例えば、ブイ７３に接続されており、水面付近に浮遊される。かかる構成により、通電時には、外部電源７４を搭載した船舶７５をブイ７３に接近させ、ブイ７３を船上に引き上げることにより、陰極用ケーブル７１ｃ及び陽極用ケーブル７２ｃの端部を船上に引き上げ、図中に破線で示したように、各端子を外部電源７４に接続して通電させることができる。なお、図２において、説明の便宜上、産卵礁１はブイ７３や船舶７５に対して拡大した状態を図示している。
【００２９】
ここで、図３は、図２に示した産卵礁１の変形例を示す図であり、（ａ）は第一変形例、（ｂ）は第二変形例、を示している。図３（ａ）に示した第一変形例は、陰極用ケーブル７１ｃ及び陽極用ケーブル７２ｃを水中に沈めるようにしたものである。例えば、ブイ７３を設置できない海域や水深の浅い海域では、陰極用ケーブル７１ｃ及び陽極用ケーブル７２ｃを鉄芯等に巻き付けて海底に配置するようにしてもよい。陰極３及び陽極４に通電する場合には、ダイバーが潜水して陰極用ケーブル７１ｃ及び陽極用ケーブル７２ｃを船上に引き上げ、外部電源７４に接続するようにすればよい。
【００３０】
図３（ｂ）に示した第二変形例は、通電方法を外部電源式から電池式に変更したものである。具体的には、陽極４に海中でイオン化可能なマグネシウム等の金属材のインゴット（又はインゴットを平板状に加工したもの）を採用したものである。この場合、電着被膜Ｅの形成に数日〜数週間程度の時間を要するが、外部電源７４を使用する必要がなく、産卵礁１を水中に沈めるだけで電着被膜Ｅを形成することができる。なお、電着被膜Ｅを剥離する場合には、例えば、外部電源７４を用いて陰極３及び陽極４に通電して剥離する方法、船上に産卵礁１を引き上げて高圧洗浄する方法、ダイバーが潜水して掻き取る方法等を適宜選択して採用することができる。
【００３１】
上述した第一実施形態及びその変形例に係る産卵礁１は、例えば、図４に示した海洋生物の産卵場所提供方法において使用される。ここで、図４は、本発明に係る海洋生物の産卵場所提供方法を示すフロー図である。図５は、電着被膜の処理過程を示す説明図であり、（ａ）は電着被膜形成工程、（ｂ）は電着被膜完成状態、（ｃ）は付着物付着状態、（ｄ）は電着被膜剥離工程、（ｅ）は電着被膜再形成工程、（ｆ）は産卵工程、を示している。
【００３２】
図４に示した海洋生物の産卵場所提供方法は、産卵礁１を水中に設置することにより海洋生物に産卵場所を提供する海洋生物の産卵場所提供方法であって、産卵礁１を水中に設置した後、産卵礁１の一部に電着被膜Ｅを形成し、増殖対象である海洋生物の産卵時期の直前に電着被膜Ｅを剥離して付着物Ｋを除去した後、電着被膜Ｅを再形成し、電着被膜Ｅの表面を産卵場所として提供するようにしたものである。具体的には、以下のＳｔｅｐ１〜Ｓｔｅｐ８を有している。
【００３３】
本実施形態における海洋生物の産卵場所提供方法は、産卵礁１を水中に設置する設置工程（Ｓｔｅｐ１）と、産卵礁１の陰極３に電着被膜Ｅを形成する電着被膜形成工程（Ｓｔｅｐ２）と、増殖対象である海洋生物の産卵時期の直前か否か確認する産卵時期確認工程（Ｓｔｅｐ３）と、電着被膜Ｅの形成から一定時間を経過しているか否か確認する経過時間確認工程（Ｓｔｅｐ４）と、増殖対象である海洋生物の産卵時期の直前に電着被膜Ｅを剥離する電着被膜剥離工程（Ｓｔｅｐ５）と、産卵礁１の陰極３に電着被膜Ｅを再形成する電着被膜再形成工程（Ｓｔｅｐ６）と、増殖対象である海洋生物が産卵面Ｓに産卵する産卵工程（Ｓｔｅｐ７）と、増殖対象である海洋生物の卵が孵化する孵化工程（Ｓｔｅｐ８）と、を有している。
【００３４】
設置工程（Ｓｔｅｐ１）では、産卵礁１は、例えば、図１（ｂ）に示したような人工魚礁９に配置され、水中に沈められる。産卵礁１が水中に沈められると貝類や藻類等の繁殖力の強い海洋生物の付着が開始することとなる。そこで、産卵礁１を水中に沈めると同時に又は直ちに電着被膜Ｅの形成を開始することが好ましい。産卵礁１の一部（例えば、陰極３）に電着被膜Ｅを形成することにより、貝類や藻類等の海洋生物が付着した場合であっても容易に付着物Ｋを除去することができる。
【００３５】
電着被膜形成工程（Ｓｔｅｐ２）は、陰極３及び陽極４に通電し、陰極３の表面（産卵面Ｓ）に電着被膜Ｅを形成する工程である。例えば、図５（ａ）に示したように、陰極３と陽極４との間で通電させることによって、海水中に存在するマグネシウムイオンやカルシウムイオンをＭｇ（ＯＨ）２やＣａＣＯ３の化合物として陰極３の表面に析出させる。この通電工程を必要な電着被膜Ｅの厚さに応じて、例えば、数日〜数週間程度の期間、実行することにより、図５（ｂ）に示したように、陰極３の表面（産卵面Ｓ）に所定の厚さの電着被膜Ｅを形成することができる。
【００３６】
ここで、電着被膜Ｅの形成方法の原理について説明する。陰極３と陽極４との間で通電させると、陰極３の表面付近で水の電気分解反応により、水素と水酸化物イオンが発生する。水素は空気中に発散し、水酸化物イオンはＰＨ値を上昇させる。ＰＨ値が８以上に上昇すると海水中のカルシウムイオンと炭酸イオンが結合し、炭酸カルシウム（ＣａＣＯ３）を形成する。ＰＨ値が９以上に上昇するとマグネシウムイオンと水酸化物イオンが結合し、水酸化マグネシウムＭｇ（ＯＨ）２を形成する。
【００３７】
形成されたＣａＣＯ３やＭｇ（ＯＨ）２の微粒子は、コロイド状に陰極３の表面近傍を浮遊しているが、微粉子表面はプラス（＋）又はマイナス（−）に荷電している。ＣａＣＯ３の粒子は、ＰＨが９未満ではプラス（＋）に荷電し、ＰＨが９を越えるとマイナス（−）に荷電する。一方、Ｍｇ（ＯＨ）２の粒子はＰＨが１１未満ではプラス（＋）に荷電し、ＰＨが１１を越えるとマイナス（−）に荷電する。
【００３８】
また、陰極３の表面の水酸化物イオン濃度は、表面で最も高く表面から遠ざかるに従って低下するので、陰極３の表面近傍でＰＨ値の勾配が生じている。この勾配の大きさは陰極３の電流密度が大きいほど大きい。
【００３９】
いま適当な電流密度による通電により、陰極３の表面のＰＨ値が１０程度であるとすると、Ｍｇ（ＯＨ）２は、プラス（＋）に荷電しているので電気泳動により表面に付着し、ＣａＣＯ３はそのＰＨではマイナス（−）に荷電するので電気的に反発し、表面からわずかに離れる。わずかに離れた位置ではＰＨ値は低下し９未満となっているのでＣａＣＯ３はプラス（＋）に荷電しており、陰極３に引き付けられて、そこに停滞する。その結果、陰極３の表面直近には、Ｍｇ（ＯＨ）２の層が形成され、外側にＣａＣＯ３の層が形成され、ＣａＣＯ３・Ｍｇ（ＯＨ）２の二層の電着被膜Ｅ（エレクトロコーティング）が形成される。
【００４０】
産卵時期確認工程（Ｓｔｅｐ３）は、図５（ｂ）に示したように、電着被膜Ｅを形成（完成）した後、すなわち、付着物Ｋが少ない状態において、増殖対象である海洋生物の産卵時期が到来したか否かを確認する工程である。増殖対象である海洋生物の産卵時期の直前である場合（Ｙ）には、付着物Ｋが少ない状態であることから、電着被膜Ｅを剥離せずに、そのまま産卵場所として提供し、産卵工程（Ｓｔｅｐ６）に移行する。増殖対象である海洋生物の産卵時期の直前でない場合（Ｎ）には、産卵時期が到来するまで、そのまま放置する。
【００４１】
経過時間確認工程（Ｓｔｅｐ４）は、電着被膜Ｅの形成開始又は完成（再形成の場合を含む）から一定時間を経過しているか否か確認する工程である。電着被膜Ｅを形成した後、開始又は完成から産卵時期まで一定時間（例えば、一ヶ月程度）を経過している場合（Ｙ）には、図５（ｃ）に示したように、電着被膜Ｅに一定量の付着物Ｋが発生している可能性がある。そこで、産卵時期の直前に汚れた電着被膜Ｅを剥離して、陰極３から付着物Ｋを除去する。一方、電着被膜Ｅの形成開始又は完成から産卵時期まで一定時間（例えば、一ヶ月程度）を経過していない場合（Ｎ）には、電着被膜Ｅに付着した付着物Ｋの分量が少ないことから、電着被膜Ｅを剥離せずに、そのまま産卵場所として提供する。なお、経過時間確認工程（Ｓｔｅｐ４）は省略し、産卵時期の直前になったら電着被膜Ｅを必ず剥離するようにしてもよい。
【００４２】
電着被膜剥離工程（Ｓｔｅｐ５）は、電着被膜Ｅを産卵面Ｓから剥離することによって、電着被膜Ｅに付着した付着物Ｋを除去する工程である。電着被膜Ｅの剥離は、例えば、図５（ｄ）に示したように、陰極３と陽極４との間で通電し、印加する電流値を調整することによって行うことができる。上述したように、陰極３の電流密度の増加に伴い、陰極３の表面のＰＨ値が上昇することとなる。そして、ＰＨ値が１１を越えると、ＣａＣＯ３及びＭｇ（ＯＨ）２の粒子は共にマイナス（−）に荷電し、陰極３と反発して電着被膜Ｅが剥離する。さらに、電流密度を大きくすると、陰極３の表面における水素ガスの発生量が多くなり、この水素ガスの発生によって電着被膜Ｅは物理的に剥離される。
【００４３】
なお、上述した電着被膜Ｅの剥離方法は、単なる一例であり、陰極３及び陽極４の電極を入れ替える（極性反転させる）方法を採用してもよいし、船上に産卵礁１を引き上げて高圧洗浄する方法を採用してもよいし、ダイバーが潜水して掻き取る方法等を採用してもよい。
【００４４】
また、電着被膜Ｅの剥離方法として極性反転させる場合には、陰極３及び陽極４は、同じ素材により構成されていることが好ましい。陰極３及び陽極４を同じ素材により構成することによって、陰極３の表面又は陽極４の表面のいずれにも任意に電着被膜Ｅを形成し、剥離することができる。したがって、増殖対象である海洋生物の習性に応じて電着被膜Ｅの形成場所や形成時期を任意に設定することができる。
【００４５】
なお、電着被膜Ｅの剥離方法として電流密度を調整する場合においても、陰極３及び陽極４を同じ素材で構成することにより、産卵礁１の組立時に陰極３と陽極４とを区別する必要がなく、組立工程の作業負担の軽減を図ることができる。
【００４６】
電着被膜再形成工程（Ｓｔｅｐ６）は、付着物Ｋを除去した陰極３の表面に再び電着被膜Ｅを形成する工程である。電着被膜Ｅを剥離することによって増殖対象の海洋生物が好むきれいな産卵場所を提供することができるものの、同時に、繁殖力の強い海洋生物の付着も開始することとなる。これらの増殖対象以外の海洋生物が陰極３の表面に付着した場合、陰極３と陽極４との間で通電したとしても付着物Ｋを剥離することが困難になってしまう。
【００４７】
そこで、電着被膜Ｅを剥離した直後に、図５（ｅ）に示したように、陰極３の表面に電着被膜Ｅを再形成することによって、増殖対象の海洋生物が好むきれいな産卵場所を提供することができるとともに、電着被膜Ｅの表面に付着物Ｋを形成させることができ、電着被膜Ｅと共に付着物Ｋを容易に除去することができる。
【００４８】
電着被膜Ｅを再形成した直後のきれいな産卵面Ｓは、図５（ｆ）に示したように、増殖対象である海洋生物の産卵場所として提供され、卵Ｒが産み付けられる（産卵工程（Ｓｔｅｐ６））。その卵Ｒが孵化する（孵化工程（Ｓｔｅｐ７））と、電着被膜Ｅの表面には卵Ｒの抜け殻や他の海洋生物の付着物Ｋが付着した汚れた面となっている。そして、次の産卵時期が到来するまで産卵面Ｓを防汚するために、そのまま放置し、次の産卵時期が到来したら、電着被膜Ｅを剥離し、電着被膜Ｅを再形成する。以後、産卵時期確認工程（Ｓｔｅｐ３）〜孵化工程（Ｓｔｅｐ７）を繰り返すことにより、増殖対象である海洋生物に対して産卵時期に合わせて好適な産卵場所を提供することができる。
【００４９】
上述した本実施形態に係る産卵礁１、人工魚礁９及び海洋生物の産卵場所提供方法によれば、電着被膜Ｅを形成可能な陰極３及び陽極４を配置したことにより、産卵礁１を沈水させた後、産卵面Ｓに電着被膜Ｅを形成することができ、かかる電着被膜Ｅに貝類や藻類等の海洋生物を付着させることができる。したがって、増殖対象である海洋生物の産卵時期の直前に電着被膜Ｅを剥離することにより、産卵面Ｓの付着物Ｋを容易に除去することができ、機能回復等のメンテナンスに要する労力を軽減することができる。
【００５０】
また、図１（ｂ）に示したように、人工魚礁９が、産卵礁１を配置した産卵部９１と、産卵礁１を配置しない住処部９２と、を有する場合には、少なくとも産卵礁１の陽極４に炭素鋼等の鉄イオンを発生可能な素材を使用するようにしてもよい。かかる構成により、電着被膜Ｅの形成だけでなく、植物プランクトンの発生を促し、それに伴って藻類を繁殖させたり、集魚したりすることができる。
【００５１】
次に、本発明の他の実施形態に係る産卵礁１について、図６〜図８を参照しつつ説明する。ここで、図６は、本発明の他の実施形態に係る産卵礁を示す図であり、（ａ）は第二実施形態、（ｂ）は第三実施形態、を示している。図７は、本発明の第四実施形態に係る産卵礁を示す図であり、（ａ）は斜視図、（ｂ）は組付状態、を示している。図８は、本発明の他の実施形態に係る産卵礁を示す図であり、（ａ）は第五実施形態、（ｂ）は第六実施形態、（ｃ）は第七実施形態、（ｄ）は第八実施形態、を示している。なお、上述した第一実施形態に係る産卵礁１及び人工魚礁９と同じ構成部品については、同じ符号を付して重複した説明を省略する。
【００５２】
図６（ａ）及び（ｂ）に示した第二実施形態及び第三実施形態に係る産卵礁１は、人工魚礁９が岩等の障害物９３によって傾斜した場合であっても産卵礁１の水平度を保持できるようにしたものである。具体的には、陰極３及び陽極４を備えた複数の電極板６は、支柱７に接続されてブロック化されて基礎構造体２である人工魚礁９に接続可能な索体１１に接続されている。
【００５３】
図６（ａ）に示した第二実施形態では、産卵礁１の下部に索体１１を接続し、上部に浮体１２を接続している。索体１１は、例えば、ワイヤやチェーン等の部材であり、人工魚礁９や産卵礁１との接続部において捩りが生じないように、回転継手や自在継手により接続するようにしてもよい。浮体１２は、図示したように、産卵礁１を水中で浮遊させることができる程度の浮力を有している。
【００５４】
図６（ｂ）に示した第三実施形態では、産卵礁１の上部に索体１１を接続し、下部に錘体１３を接続している。索体１１は、第二実施形態と同様の構成を有する。錘体１３は、図示したように、産卵礁１に生じる浮力よりも大きな重力を負荷できる程度の重量を有している。
【００５５】
上述した第二実施形態及び第三実施形態によれば、人工魚礁９の姿勢に関わらず、産卵礁１の水平度を保持することができ、水平な産卵面Ｓを好む海洋生物に適した産卵場所を提供することができる。また、産卵礁１は、潮の流れに対して追従して移動又は方向転換することができることから、産卵礁１内の隙間における潮通しをよくすることもでき、孵化に必要な成分を含んだ新鮮な海水を産卵場所に効率よく送り込むこともできる。
【００５６】
また、上述した第二実施形態によれば、浮体１２を有していることから、例えば、産卵礁１を船上に回収する場合に、回収作業を容易に行うことができる。また、設置工程において、浮体１２の浮力よりも大きな重力を発生させる錘体を接続することにより、容易に自沈させることができる。
【００５７】
また、上述した第三実施形態によれば、錘体１３を有していることから、例えば、沈水した人工魚礁９に産卵礁１を設置する場合に、容易に自沈させることができ、設置作業の労力を軽減することができる。また、回収工程において、錘体１３の重力よりも大きな浮力を発生させる浮体を接続することにより、容易に水面に浮上させることができる。
【００５８】
図７（ａ）及び（ｂ）に示した第四実施形態に係る産卵礁１は、基礎構造体２である人工魚礁９とともに沈水可能な組立治具９４に配置したものである。例えば、図７（ｂ）に示したような、三角柱のフレーム構造又はパネル構造を有する人工魚礁９では、図７（ａ）に示したようなフレーム構造の組立治具９４を使用して組み立てることが多い。通常の人工魚礁９では、完成後に組立治具９４を取り外すことが一般的であるが、この組立治具９４の取り外し工程には一定の時間と労力を要する。
【００５９】
そこで、本実施形態では、この組立治具９４に陰極３及び陽極４を備えた産卵礁１をユニット化して接続し、組立治具９４を取り外すことなく、人工魚礁９を沈水させるようにしている。かかる構成により、組立治具９４の取り外し工程を省略することができる。
【００６０】
図８（ａ）に示した第五実施形態に係る産卵礁１は、陰極３及び陽極４を基礎構造体２であるコンクリート構造体に直に接続したものである。基礎構造体２は、例えば、棚形状を有するコンクリート構造体である。陰極３は、例えば、基礎構造体２の棚部の内側上面に配置され、陽極４は、基礎構造体２の棚部の内側下面に配置される。基礎構造体２の棚数は一つに限定されるものではなく、複数の棚を形成し、複数の陰極３及び陽極４を配置するようにしてもよい。これらの陰極３及び陽極４に通電するための電源は、図示しないが、第一実施形態及びその変形例に示したような、外部電源式であってもよいし、電池式であってもよい。
【００６１】
図８（ｂ）に示した第六実施形態に係る産卵礁１は、第一実施形態に示した電極板６を支柱７によりユニット化し、支持部材１４により産卵面Ｓを水平に保持したまま基礎構造体２の側面部に配置したものである。かかる構成によれば、人工魚礁９の壁面部を利用して産卵礁１を配置することができ、人工魚礁９の構造に合わせて好適な場所に産卵礁１を配置することができる。
【００６２】
図８（ｃ）に示した第七実施形態に係る産卵礁１は、第一実施形態に示した電極板６を支柱７によりユニット化し、支持部材１４により産卵面Ｓを鉛直に保持したまま基礎構造体２の床面部に配置したものである。かかる構成により、産卵場所として壁面部を好む海洋生物に対して、産卵礁１を利用して好適な産卵面Ｓを提供することができる。
【００６３】
図８（ｄ）に示した第八実施形態に係る産卵礁１は、第一実施形態に示した電極板６を支柱７によりユニット化し、支柱７により産卵面Ｓを鉛直に保持したまま基礎構造体２の側面部に配置したものである。かかる構成によっても、産卵場所として壁面部を好む海洋生物に対して、産卵礁１を利用して好適な産卵面Ｓを提供することができる。
【００６４】
上述した第六実施形態〜第八実施形態において、産卵礁１の配置方法の一例について説明したが、産卵礁１の配置方法は図示したものに限定されず、産卵礁１を傾斜面に配置するようにしてもよいし、第二実施形態や第三実施形態に示したような索体１１を介して基礎構造体２に接続するようにしてもよい。
【００６５】
本発明は上述した実施形態に限定されず、増殖対象である海洋生物の習性に応じて、陰極３及び陽極４の形状、間隔、配置場所等の設計条件を適宜変更することができる等、本発明の趣旨を逸脱しない範囲で種々変更が可能であることは勿論である。
【符号の説明】
【００６６】
１  産卵礁
２  基礎構造体
３  陰極
４  陽極
５  絶縁板
６  電極板
７  支柱
９  人工魚礁
１１  索体
１２  浮体
１３  錘体
１４  支持部材
７１  第一支柱
７１ａ，７２ａ  ボルト
７１ｂ，７２ｂ  絶縁ボルト
７１ｃ  陰極用ケーブル
７２  第二支柱
７２ｃ  陽極用ケーブル
７３  ブイ
７４  外部電源
７５  船舶
９１  産卵部
９２  住処部
９３  障害物
９４  組立治具
【図１】
2014168422.tif 000003
【図２】
2014168422.tif 000004
【図３】
2014168422.tif 000005
【図４】
2014168422.tif 000006
【図５】
2014168422.tif 000007
【図６】
2014168422.tif 000008
【図７】
2014168422.tif 000009
【図８】
2014168422.tif 000010